(57)【要約】【課題】デジタル放送による電子商取引の際に，代金の決済を簡便，容易にかつ安定して行うことの可能な決済システムを提供する。【解決手段】上記決済システムのデジタル放送用端末機は，デジタル放送の電子商取引時，プログラム供給部に，予め保有されたユーザ情報を暗号化し，ユーザ情報を伝送する電子財布と電子財布を駆動させるための駆動アプリケーションとを備え；プログラム供給部は，ネットワーク接続を行うデジタル放送及びインターネット支援サーバと，電子決済ゲートウェイと双方向通信するための電子決済ゲートウェイ用クライアントツールキットとを含み；電子決済ゲートウェイは，電子決済ゲートウェイ用クライアントツールキットと相互連動し；金融機関は，取引承認の要請に対して照会し，照会に基づく承認結果を発給し，取引承認にかかる決済代金を支給する。【選択図】  図１
2004199640.tif 000002
【特許請求の範囲】
【請求項１】
少なくとも，デジタル放送を供給するプログラム供給部と，デジタル放送用端末機と，電子決済ゲートウェイと，金融機関とからなる決済システムであって：
前記デジタル放送用端末機は，前記プログラム供給部と双方向データ通信可能であり，前記デジタル放送の電子商取引時，前記プログラム供給部に，予め保有されたユーザ情報を暗号化し，前記ユーザ情報を伝送する電子財布と前記電子財布を駆動させるための駆動アプリケーションとを備え；
前記プログラム供給部は，前記デジタル放送用端末機からの購買要請時，前記電子財布により伝送される前記ユーザ情報を受信し，ネットワーク接続を行うデジタル放送及びインターネット支援サーバと，前記電子決済ゲートウェイと双方向通信するための電子決済ゲートウェイ用クライアントツールキットとを含み；
前記電子決済ゲートウェイは，前記電子決済ゲートウェイ用クライアントツールキットと相互連動し，前記プログラム供給部からの要請に基づき，少なくとも前記金融機関に取引承認を要請及び前記取引承認に対する承認結果を受信し；
前記金融機関は，前記取引承認の要請に対して照会し，前記照会に基づく承認結果を発給し，前記取引承認にかかる決済代金を支給することを特徴とする，デジタル放送用電子商取引決済システム。
【請求項２】
前記プログラム供給部は，商品情報を予めデータベース化された商品データベースをさらに備えることを特徴とする，請求項１に記載のデジタル放送用電子商取引決済システム。
【請求項３】
前記デジタル放送用端末機は，少なくともデジタルＴＶ受像機，デジタル放送受信用セットトップボックスを備えるアナログＴＶ受像機，またはデジタル放送用ＴＶ受信カード読取／書込み可能なＰＣのうちいずれか一つであることを特徴とする，請求項１または２に記載のデジタル放送用電子商取引決済システム。
【請求項４】
前記デジタルＴＶ受像機は，ＨＤＴＶまたはＳＤＴＶであることを特徴とする，請求項１，２，または３項のうちいずれか１項に記載のデジタル放送用電子商取引決済システム。
【請求項５】
前記電子財布は，少なくとも内蔵型，ダウンロード型，サーバ型，または前記デジタル放送用端末機とサーバとの分担型のうちいずれか一つであることを特徴とする，請求項１または２に記載のデジタル放送用電子商取引決済システム。
【請求項６】
少なくとも，デジタル放送を供給するプログラム供給部と，デジタル放送用端末機と，電子決済ゲートウェイと，金融機関とを用いたデジタル放送用電子商取引決済方法であって：
前記デジタル放送用電子商取引決済方法は，
１又は２以上のユーザ情報が入力され，前記デジタル放送用端末機の記憶部に暗号化して格納する段階と；
プログラム供給部が放送プログラムを前記デジタル放送用端末機に提供することにより，所定の商品を選択し，決済するためのデータが生成される段階と；
格納された前記ユーザ情報のうち所定の情報が選択される段階と；
選択された前記ユーザ情報が，プログラム供給部に伝送される段階と；
前記ユーザ情報を受信し，電子決済ゲートウェイ用クライアントツールキットを用いて電子決済ゲートウェイに決済承認を要請する段階と；
前記電子決済ゲートウェイが，金融機関に承認を要請する段階と；
前記金融機関により，前記承認の要請に対する承認結果を電子決済ゲートウェイに伝送し，さらに電子決済ゲートウェイにより，前記承認結果がプログラム供給部に伝送される段階と；
前記プログラム供給部が前記承認結果をデジタル放送用端末機に伝送する段階とを含むことを特徴とする，デジタル放送用電子商取引決済方法。
【請求項７】
前記所定の商品の選択し，決済するためのデータが生成される段階は，
前記デジタル放送用端末機から所定の商品が選択された選択データをプログラム供給部に伝送する段階と；
前記プログラム供給部により予め格納された商品データベースから，前記選択データに基づき該当商品の情報を検索し，前記デジタル放送用端末機に提供する段階と；
前記選択された商品の決済をする注文情報をプログラム供給部に伝送する段階とを含むことを特徴とする，請求項６に記載のデジタル放送用電子商取引決済方法。
【請求項８】
前記デジタル放送用端末機は，少なくともデジタルＴＶ受像機，デジタル放送受信用セットトップボックスを備えるアナログＴＶ受像機，またはデジタル放送用ＴＶ受信カード読取／書込み可能なＰＣのうちいずれか一つであることを特徴とする，請求項６または７に記載のデジタル放送用電子商取引決済方法。
【請求項９】
前記デジタルＴＶ受像機は，ＨＤＴＶまたはＳＤＴＶであることを特徴とする，請求項６，７，または８項のうちいずれか１項に記載のデジタル放送用電子商取引決済方法。
【請求項１０】
前記記憶部に暗号化して格納する段階は，内蔵型，ダウンロード型，サーバ型，または端末機とサーバとの分担型のうちいずれか一つである電子財布が記憶部に格納することを特徴とする，請求項６，７，８，または９項のうちいずれか１項に記載のデジタル放送用電子商取引決済方法。
【請求項１１】
前記格納されたユーザ情報が，自動的に選択されることを特徴とする，請求項６，７，８，９，または１０項に記載のデジタル放送用電子商取引決済方法。
【発明の詳細な説明】
【０００１】
【発明の属する技術分野】
本発明は決済システムにかかり，特にデジタル放送を用いた電子商取引のための決済システムに関する。
【０００２】
【従来の技術】
放送は情報を伝達する方式によって地上波，衛星，ケーブルの３種に分けられる。地上波とは，放送局の送信塔から送られる，例えば偏波などの電波が他の媒体を経ることなく空気中を通して受信者のアンテナに伝えられる放送であって，例えば地上波の放送局として韓国のＫＢＳ（Ｋｏｒｅａｎ  Ｂｒｏａｄｃａｓｔｉｎｇ  Ｓｙｓｔｅｍ），ＭＢＣ（Ｍｕｎｈｗａ  Ｂｒｏａｄｃａｓｔｉｎｇ  Ｃｏｒｐ．），ＳＢＳ，米国のＡＢＣ，ＮＢＣ，英国のＢＢＣ，そして日本のＮＨＫ（日本放送協会）などが例示される。
【０００３】
これに対し，衛星放送は，放送局の電波が衛星を介し，受信者のアンテナに受信されるもので，例えば韓国のムグンファ衛星を介したＫＢＳ衛星ＴＶ（ｔｅｌｅｖｉｓｉｏｎ），ＥＢＳ（Ｅｄｕｃａｔｉｏｎａｌ  Ｂｒｏａｄｃａｓｔｉｎｇ  Ｓｙｓｔｅｍ）衛星ＴＶ，日本のＢＳ（Ｂｒｏａｄｃａｓｔｉｎｇ  Ｓａｔｅｌｌｉｔｅ）又はＣＳ（Ｃｏｍｍｕｎｉｃａｔｉｏｎ  Ｓａｔｅｌｌｉｔｅ）衛星放送，香港のＳＴＡＲ  ＴＶ，ヨーロッパのＢＳｋｙＢなどが挙げられる。ケーブル放送は放送局の電波が銅線などのケーブルを通して受信者に伝達されるもので，米国のＣＮＮ（Ｃａｂｌｅ  Ｎｅｗｓ  Ｎｅｔｗｏｒｋ），韓国の各種有線（ケーブル）放送などが例示される。
【０００４】
また，放送は電波に乗った情報の特性によってデジタル放送とアナログ放送に分けられる。アナログ放送は，映像及び音声を含む放送信号を電気的に変化させて連続的な波形として送る方式であり，デジタル放送は，プログラム製作・伝送・受信などの全過程を細かい時間ごとに分割し，それぞれその時間で振幅の状態を０と１の二進数にして情報を取り扱い，０と１との２数字が組み合わされる量によって情報の大きさが変わる信号，すなわちデジタルに処理して信号の損傷や雑音などがない放送をいう。衛星放送とケーブル放送では既にデジタル放送を実施しており，現在地上波放送も一部地域では試験放送中にあるなどデジタル放送へ変化しつつある。
【０００５】
このようなデジタル放送の特徴は，多チャンネル化，高品質化及び多機能化と要約される。米国のＤｉｒｅｃＴＶ（登録商標）や日本のＳｋｙＰｅｒｆｅｃＴＶなどのデジタル衛星放送から既に多チャンネル放送を開始しているのである。
【０００６】
また，放送信号をデジタルに処理するため，品質損傷がなく，信号情報の復元が可能であり，雑音などがないので，アナログ放送より一層綺麗で鮮明な画質及び音質を提供する高品質化は，国内デジタル地上波放送で実験的に行われている高画質(ＨＤ；Ｈｉｇｈ  Ｄｅｆｉｎｉｔｉｏｎ)ＴＶ放送を介して視聴することができる。
【０００７】
さらにデジタル放送の一特徴である多機能化は，映像と音声以外にデータチャンネルを用いた多様なサービスの提供が可能であることを意味し，デジタル放送がアナログ放送とは差別化できる最も大きい特徴であると言え，このような観点からのデジタル放送をデジタルデータ放送という。
【０００８】
すなわち，デジタル放送では，多重化技術などにより映像，音声，データなどを内容及び大きさに関係なく一括して同時に伝送することができ，モデムを介したリターンチャンネルが形成されて対話型サービスを提供することができるうえ，受信機内のプロセッサと運営体制との融合によって多様な受信機能を発揮することができる。
【０００９】
このような技術発展によって，デジタルデータ放送は既存のアナログデータ放送のような付加サービスの領域を超え，さらに一次元高いマルチメディアサービスを視聴者に提供する。
【００１０】
すなわち，デジタル放送サービスによれば，映像と音声の他にも各種データを電波にのせて送出することができ，家庭でも所望の様々な情報サービスを容易に得ることができるので，家庭の情報化を促進することになる。例えば，スポーツ競技を視聴する際，所望の選手に対する各種データを見ることができるうえ，様々な角度から撮影したいろいろの画面を同時に或いは択一的に見ることができる。さらに，ドラマの場合にはこれまでのストーリーのあらすじ又は撮影場所に対する情報などを得ることができる。
【００１１】
特に，上記デジタル放送の多機能化機能，すなわちデジタルデータ放送は双方向伝送が可能なので，ＴＶによる電子商取引を可能にする。例えば，ドラマを視聴しながら，画面に表示されるアクセサリなどに対してＴＶ画面上にアイコンが現われると，これをマウスまたはリモコンなどのクリックなどにより，注文する方式のホームショッピングが可能になる。
【００１２】
ケーブルＴＶのホームショッピングチャンネルによるホームショッピングの場合にも既存の電話注文ではなくマウスまたはリモコンのボタンクリックによる注文が可能となることにより，より便利なホームショッピングが可能になる。
【００１３】
上記デジタル放送によって，例えばホームショッピングなどの各種電子商取引が可能となることにより，その取引行為の際により一層便利で安定的な決済システムが要求されている。
【００１４】
【発明が解決しようとする課題】
しかしながら，上記デジタル放送による電子商取引を目的とした決済システムではないので，既存の決済システム構成としてデジタル放送による電子商取引の決済に適用できないという問題点が生じていた。
【００１５】
本発明は，上記問題点に鑑みてなされたものであり，本発明の目的は，デジタル放送による電子商取引の際に，代金の決済を簡便，容易にかつ安定して行うことの可能な，新規かつ改良された決済システムを提供することである。
【００１６】
【課題を解決するための手段】
上記課題を解決するため，本発明の第１の観点によれば，少なくとも，デジタル放送を供給するプログラム供給部と，デジタル放送用端末機と，電子決済ゲートウェイと，金融機関とからなる決済システムが提供される。上記決済システムのデジタル放送用端末機は，プログラム供給部と双方向データ通信可能であり，デジタル放送の電子商取引時，プログラム供給部に，予め保有されたユーザ情報を暗号化し，ユーザ情報を伝送する電子財布と電子財布を駆動させるための駆動アプリケーションとを備え；プログラム供給部は，デジタル放送用端末機からの購買要請時，電子財布により伝送されるユーザ情報を受信し，ネットワーク接続を行うデジタル放送及びインターネット支援サーバと，電子決済ゲートウェイと双方向通信するための電子決済ゲートウェイ用クライアントツールキットとを含み；電子決済ゲートウェイは，電子決済ゲートウェイ用クライアントツールキットと相互連動し，プログラム供給部からの要請に基づき，少なくとも前記金融機関に取引承認を要請及び前記取引承認に対する承認結果を受信し；金融機関は，取引承認の要請に対して照会し，照会に基づく承認結果を発給し，取引承認にかかる決済代金を支給することを特徴としている。なお，本発明にかかるユーザ情報は，ユーザの住所などの顧客情報及び／又は決済情報とからなり，ネットワークは，相互に送受信可能であれば限定されず，例えば公衆回線または専用回線などからなるインターネット網，ＶＡＮ（Ｖａｌｕｅ  Ａｄｄｅｄ  Ｎｅｔｗｏｒｋ）などから少なくとも構成される。
【００１７】
プログラム供給部は，商品情報を予めデータベース化された商品データベース（以下，商品ＤＢ）をさらに備えるように構成することができる。
【００１８】
デジタル放送用端末機は，少なくともデジタルＴＶ受像機，デジタル放送受信用セットトップボックスを備えるアナログＴＶ受像機，またはデジタル放送用ＴＶ受信カード読取／書込み可能なＰＣのうちいずれか一つであるように構成することができる。
【００１９】
デジタルＴＶ受像機は，ＨＤＴＶまたはＳＤＴＶであるように構成することができる。なおＨＤＴＶは，Ｈｉｇｈ  Ｄｉｆｉｎｉｔｉｏｎ  ＴＶであり，ＳＤＴＶは，Ｓｔａｎｄａｒｄ  Ｄｅｆｉｎｉｔｉｏｎ  ＴＶである。
【００２０】
電子財布は，少なくとも内蔵型，ダウンロード型，サーバ型，または端末機とサーバとの分担型のうちいずれか一つであるように構成することができる。
【００２１】
さらに，上記課題を解決するための本発明の別の観点によれば，コンピュータをして決済システムするためのデジタル放送用端末機に備わる電子財布のコンピュータプログラムは，ユーザ情報を暗号化し，商品の選択および／または決済時に，プログラム供給部に，上記ユーザ情報を伝送することを特徴としている。
【００２２】
さらに，上記課題を解決するための本発明の別の観点によれば，少なくとも，デジタル放送を供給するプログラム供給部と，デジタル放送用端末機と，電子決済ゲートウェイと，金融機関とを用いたデジタル放送用電子商取引決済方法が提供される。このデジタル放送用電子商取引決済方法は，１又は２以上のユーザ情報が入力され，前記デジタル放送用端末機の記憶部に暗号化して格納する段階と；プログラム供給部が放送プログラムをデジタル放送用端末機に提供することにより，所定の商品を選択し，決済するためのデータが生成される段階と；格納されたユーザ情報のうち所定の情報が選択される段階と；選択されたユーザ情報が暗号化され，プログラム供給部に伝送される段階と；ユーザ情報を受信し，電子決済ゲートウェイ用クライアントツールキットを用いて電子決済ゲートウェイに決済承認を要請する段階と；電子決済ゲートウェイが，金融機関に承認を要請する段階と；金融機関により，承認の要請に対する承認結果を電子決済ゲートウェイに伝送し，さらに電子決済ゲートウェイにより，承認結果がプログラム供給部に伝送される段階と；プログラム供給部が承認結果をデジタル放送用端末機に伝送する段階とを含むことを特徴としている。なお，本発明にかかる記憶部は，データを記憶保有可能であり，メモリ，ハードディスクなどが例示され，放送プログラムは，コンテンツ，放送番組などの総称である。
【００２３】
所定の商品の選択し，決済するためのデータが生成される段階は，デジタル放送用端末機から所定の商品が選択された選択データをプログラム供給部に伝送する段階と；プログラム供給部により予め格納された商品ＤＢから，選択データに基づき該当商品の情報を検索し，デジタル放送用端末機に提供する段階と；記選択された商品の決済をする注文情報をプログラム供給部に伝送する段階とを含むように構成することができる。
【００２４】
デジタル放送用端末機は，少なくともデジタルＴＶ受像機，デジタル放送受信用セットトップボックスを備えるアナログＴＶ受像機，またはデジタル放送用ＴＶ受信カード読取／書込み可能なＰＣのうちいずれか一つであるように構成することができる。
【００２５】
デジタルＴＶ受像機は，ＨＤＴＶまたはＳＤＴＶであるように構成することができる。
【００２６】
記憶部に暗号化して格納する段階は，内蔵型，ダウンロード型，サーバ型，または端末機とサーバとの分担型のうちいずれか一つである電子財布が記憶部に格納するように構成することができる。
【００２７】
格納されたユーザ情報は，自動的に選択されるように構成することができる。
【００２８】
さらに，上記課題を解決するための本発明の別の観点によれば，デジタル放送用端末機を用いて双方向データ通信による電子商取引が可能な所定のデジタル放送プログラムの視聴中，ユーザの商品購買要請に応じて電子商取引が行われる場合に決済を行う決済システムであって，上記決済システムは，ユーザの顧客情報及び決済情報を格納し，電子商取引の際にこれをプログラム供給部に暗号化して伝送する電子財布，及び電子財布を駆動させるための駆動アプリケーションを含み，プログラム供給部との双方向データ通信を行うデジタル放送用端末機と，デジタル放送用端末機から購買要請がある場合，電子財布から伝送された顧客情報及び決済情報を受信しインターネット接続を行うデジタル放送及びインターネット支援サーバ，及び電子決済ゲートウェイとの接続，電子決済ゲートウェイの情報伝送及び電子決済ゲートウェイからの承認結果受信を行う電子決済ゲートウェイ用クライアントツールキットを含むプログラム供給部と，プログラム供給部とインターネット接続され且つクライアントツールキットと相互連動されるように構成され，ＶＡＮ会社に取引承認を要請し，ＶＡＮ会社からその承認結果を受信してプログラム供給部に伝送する電子決済ゲートウェイと，付加価値通信網を用いて金融機関に取引を照会し，その結果を前記電子決済ゲートウェイへ送信し，電子決済ゲートウェイから振替要請を受けて金融機関に取引代金の振替を要請するＶＡＮ会社と，ＶＡＮ会社の照会要請に対してカード取引を承認し，その承認結果を発給してこれをＶＡＮ会社に渡し，決済代金を支給する金融機関とを含むことを特徴としている。
【００２９】
プログラム供給部は商品情報を予めデータベース化しておく商品ＤＢをさらに備えるように構成してもよい。
【００３０】
デジタル放送用端末機は，デジタルＴＶ受像機，デジタル放送受信用セットトップボックス付きアナログＴＶ受像機，またはデジタル放送用ＴＶ受信カード付きＰＣのうちいずれか一つであるように構成してもよい。
【００３１】
デジタルＴＶ受像機は，ＨＤＴＶまたはＳＤＴＶであるように構成することができる。
【００３２】
電子財布は，内蔵型，ダウンロード型，サーバ型，または端末機−サーバ分担型のうちいずれか一つであるように構成してもよい。
【００３３】
さらに，上記課題を解決するための本発明の別の観点によれば，デジタル放送用端末機を用いた双方向データ通信による電子商取引が可能な所定のデジタル放送プログラムの視聴中，ユーザの商品購買要請に応じて電子商取引が行われる場合に決済を行う決済方法であって，ユーザがデジタル放送用端末機の電子財布に一つまたは２つ以上の顧客情報及び決済情報を入力し，電子財布がこれをデジタル放送用端末機のメモリに暗号化して格納する段階と，プログラム供給部がプログラムをデジタル放送用端末機に提供し，ユーザが，デジタル放送用端末機の双方向データ通信機能を用いて，プログラムで取引に提供された所定の商品を選択し決済を決定する段階と，デジタル放送用端末機の駆動アプリケーションが電子財布を駆動させ，ユーザが電子財布に格納された顧客情報及び決済情報のうち所定の情報を選択する段階と，デジタル放送用端末機が，デジタル放送用端末機の双方向データ通信機能を用いて，選択された顧客情報及び決済情報をプログラム供給部に暗号化して伝送する段階と，プログラム供給部がデジタル放送及びインターネット支援サーバを用いて顧客情報及び決済情報を受信し，インターネットに接続して電子決済ゲートウェイ用クライアントツールキットを用いて電子決済ゲートウェイに決済承認を要請する段階と，電子決済ゲートウェイがＶＡＮ会社を介して該当金融機関に承認を要請する段階と，該当金融機関が承認要請に対する承認結果を処理してこれをＶＡＮ会社を介して電子決済ゲートウェイに伝送し，電子決済ゲートウェイが承認結果をプログラム供給部に伝送する段階と，プログラム供給部が承認結果をデジタル放送用端末機に伝送する段階とを含むように構成してもよい。なお，本発明にかかるＶＡＮ会社は，例えば，本実施の形態にかかるＶＡＮ事業所などである。
【００３４】
商品選択段階は，デジタル放送用端末機からユーザのマウスまたはリモコン操作による所定の商品選択データをプログラム供給部に伝送する段階と，プログラム供給部が商品情報を予め格納しておいた商品ＤＢから該当商品の情報を検索して端末機にこれを提供する段階と，ユーザのマウスまたはリモコン操作による注文情報をデジタル放送用端末機からプログラム供給部に伝送する段階とを含むように構成してもよい。
【００３５】
デジタル放送用端末機は，デジタルＴＶ受像機，デジタル放送受信用セットトップボックス付きアナログＴＶ受像機及びデジタル放送用ＴＶ受信カード付きＰＣのいずれか一つであるように構成してもよい。
【００３６】
デジタルＴＶ受像機は，ＨＤＴＶまたはＳＤＴＶであるように構成してもよい。
【００３７】
電子財布は，内蔵型，ダウンロード型，サーバ型，または端末機−サーバ分担型のうちいずれか一つであるように構成してもよい。
【００３８】
電子財布に一つの顧客情報及び決済情報を入力する場合，選択過程を経ることなく，入力した顧客情報及び決済情報が自動的に選択されるように構成してもよい。
【００３９】
さらに，上記課題を解決するための本発明の別の観点によれば，デジタル放送用端末機を用いて双方向データ通信による電子商取引が可能な所定のデジタル放送プログラムの視聴中，ユーザの商品購買要請に応じて電子商取引が行われる場合に決済を行う決済システムであって，ユーザの顧客情報及び決済情報を格納し，電子商取引の際にこれをプログラム供給部に暗号化して伝送する電子財布，及び電子財布を駆動させるための駆動アプリケーションを含み，プログラム供給部との双方向データ通信を行うデジタル放送用端末機と，前記デジタル放送用端末機から購買要請がある場合，前記電子財布から伝送された顧客情報及び決済情報を受信しインターネット接続を行うデジタル放送及びインターネット支援サーバ，及び電子決済ゲートウェイとの接続，電子決済ゲートウェイの情報伝送及び電子決済ゲートウェイからの承認結果受信を行う電子決済ゲートウェイ用クライアントツールキットを含むプログラム供給部と，前記プログラム供給部とインターネット接続され且つ前記クライアントツールキットと相互連動されるように構成され，ＶＡＮ事業所に取引承認を要請し，ＶＡＮ事業所からその承認結果を受信して前記プログラム供給部に伝送する電子決済ゲートウェイと，付加価値通信網を用いて金融機関に取引を照会し，その結果を前記電子決済ゲートウェイへ送信し，電子決済ゲートウェイから振替要請を受けて金融機関に取引代金振替を要請するＶＡＮ事業所と，前記ＶＡＮ事業所の照会要請に対してカード取引を承認し，その承認結果を発給してこれをＶＡＮ事業所に渡し，決済代金を支給する金融機関とを含むことを特徴とする決済システム及びこれを用いた決済方法を提供する。
【００４０】
【発明の実施の形態】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００４１】
まず，図１を参照しながら，本実施の形態にかかる決済システムについて説明する。図１は，本実施の形態にかかる決済システムの概略的な構成を示すブロック図である。
【００４２】
図１に示すように，本実施の形態にかかるデジタル放送を用いた電子商取引のための決済システムは，デジタル放送用端末機１００，プログラム供給部１１０，電子決済ゲートウェイ１２０，ＶＡＮ（Ｖａｌｕｅ  Ａｄｄｅｄ  Ｎｅｔｗｏｒｋ）１３０及び金融機関１４０からなる。
【００４３】
デジタル放送用端末機１００は，デジタルＴＶ受像機，デジタル放送受信用セットトップボックス（ＳＴＢ）を備えたアナログＴＶ受像機，例えばＰＰＶ（ペイパービュー）などのためデジタル放送用ＴＶ受信カードを読書き可能なＰＣ（Ｐｅｒｓｏｎａｌ  Ｃｏｍｐｕｔｅｒ）などを含むことができる。
【００４４】
デジタルＴＶ受像機はさらに画質と音質を基準としてＨＤＴＶ（Ｈｉｇｈ  Ｄｅｆｉｎｉｔｉｏｎ  ＴＶ）とＳＤＴＶ（Ｓｔａｎｄａｒｄ  Ｄｅｆｉｎｉｔｉｏｎ  ＴＶ）に分けられる。詳述すると，ＨＤＴＶは既存のアナログＴＶに比べて著しく鮮明な映像と音響を支援して，３５ｍｍ映画フィルムのような高画質映像を提供し，例えばドルビープロロジック社のデジタル５.１規格又はデジタル５．１ｃｈを支援して既存の映画館でしか鑑賞できなかった高画質，高音質のデジタル化された画面を鑑賞することができる。
【００４５】
特に，高解像度という特徴を活用することにより，先端医療産業又は防衛産業分野などで多様に応用することができる。ＳＤＴＶは，既存のアナログ方式（例えば，米国のＮＴＳＣ（Ｎａｔｉｏｎａｌ  Ｔｅｌｅｖｉｓｉｏｎ  Ｓｙｓｔｅｍｓ  Ｃｏｍｍｉｔｔｅｅ）またはヨーロッパのＰＡＬ（Ｐｈａｓｅ  Ａｌｔｅｒｎａｔｉｏｎ  ｂｙ  Ｌｉｎｅ））よりは優れるが，ＨＤＴＶよりは解像度の低い映像を提供する方式である。ＨＤＴＶが高画質と高音質を主とする方式である反面，ＳＤＴＶは主に多数のチャンネルと付加的なサービスを念頭に置いて画質と音質を相対的に程度を低く処理する。従って，ＳＤＴＶは余分の帯域に教育，エンターテインメント，電子商取引，双方向ＴＶサービス，電子メール，ＶＯＤ（Ｖｉｄｅｏ  Ｏｎ  Ｄｅｍａｎｄ），ＷＷＷ（Ｗｏｒｌｄ  Ｗｉｄｅ  Ｗｅｂ）など様々なコンテンツからなる情報を搬送させ易いという利点がある。
【００４６】
ＨＤＴＶ及びＳＤＴＶシステムの構成を例に挙げて説明すると，ＨＤ／ＳＤＴＶの伝送ストリームは映像（Ｖｉｄｅｏ，ビデオ），音声（Ａｕｄｉｏ，オーディオ）及びデータ（ｄａｔａ）部分に大別されるが，ＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）基準の場合，映像のエンコード／デコードの際には好ましくはＭＰＥＧ２，音声は好ましくはドルビーＡＣ−３を採用することができる。
【００４７】
ドルビーＡＣ−３は好ましくは標準サンプリングレートを４８ＫＨｚ，チャンネルを５.１チャンネルでそれぞれ表現し，５つのサラウンドスピーカと１つのウーファーで構成することができる。伝送サブシステムは，ＰＥＳ（Ｐａｃｋｅｔｉｚｅｄ  Ｅｌｅｍｅｎｔａｒｙ  Ｓｔｒｅａｍ）形式又はセクション形式のデータであり，４ｂｙｔｅのヘッダと１８４ｂｙｔｅのペイロード（ｐａｙｌｏａｄ）からなるパケットで構成することができ，ＲＦ変調方式は８ＶＳＢで，例えば６ＭＨｚ地上波チャンネルの場合，好ましくは１９.３Ｍｂｐｓで伝送を受けることができる。典型的なＨＤ／ＳＤＴＶのＴＶのエンコード，デコードは復調器（アナログ搬送波からデジタル信号を分離），デマルチプレクサ（ビデオからオーディオ信号を分離），イメージデコーダ（エンコードされたビデオ信号を復元），オーディオデコーダ（エンコードされたオーディオ信号を復元）に分けられる。
【００４８】
パケット構造は既存のアナログ放送信号とデジタル放送信号を区分付ける大きい特性の一つであるが，ＨＤＴＶ信号はパケットからなり，各パケットはヘッダと記述子（ｄｅｓｃｒｉｐｔｏｒ）からなる。このようなデジタルの特性は他の各種デジタル機器との互換が容易であり，今後拡張性まで期待することが可能な非常に重要な利点である。映像と音声のエンコード／デコードにＭＰＥＧ２を採用したことも，多様な解像度及び画面比率を容易にするという利点をもつ。
【００４９】
既存のアナログＴＶ受像機をデジタル放送用端末機１００として使用する場合には，デジタル放送受信機，すなわちセットトップボックス（ｓｅｔ−ｔｏｐ  ｂｏｘ）を備えなければならない。これは既存のＴＶをそのまま最大限活用する方法である。
【００５０】
既存のＰＣをデジタル放送用端末機１００として使用する場合には，デジタル放送を受信するためのデジタルＴＶ受信カードを使用するためのリーダ／ライタ（図示せず。）を備えなければならない。このリーダ／ライタは，上記デジタルＴＶまたはセットトップボックスを用いる場合より相対的にコストを低く抑えることができ，例えばＳＤ程度の一定水準の画質を提供するという利点をもつ。
【００５１】
上記説明した本実施の形態にかかるデジタル放送用端末機１００は，さらに電子財布１０１及び駆動アプリケーション１０２を備える。
【００５２】
電子財布１０１は，デジタル放送を利用した電子商取引のためのユーザの顧客情報及び決済情報をユーザ情報として予めデジタル放送用端末機１００に備わる記憶部（図示せず。）に格納されており，電子商取引の際に上記顧客情報及び／又は決済情報をプログラム供給部１１０に暗号化して伝達するソフトウェアのことをいう。なお，本実施の形態にかかる電子財布１０１は，予め暗号化したユーザ情報を格納する場合を例に挙げて説明したが，かかる例に限定されず，暗号化してから伝送する場合であっても実施可能であり，ソフトウェアである場合を例に挙げて説明したが，かかる例に限定されず，例えば，予めＤＳＰまたはＣＰＵなどの処理装置に各種情報の伝達処理などの手順を格納させておく場合であっても実施可能である。
【００５３】
上記顧客情報には，例えば氏名，住民番号，住所，配送地情報などが含まれ，上記決済情報には，例えばユーザのクレジットカード番号，クレジットカードの有効期間，クレジットカードの暗証番号などが含まれるが，かかる例に限定されず，例えば決済情報には，キャッシュカード番号など，決済可能な媒体にかかる情報であればよい。
【００５４】
本実施の形態にかかる電子財布１０１は，例えば，予めデジタル放送用端末機１００に備わる内蔵型の電子財布，プログラム供給部１１０とのデータ通信によってプログラムからなる電子財布１０１をデジタル放送用端末機１００にダウンロードすることによりデジタル放送用端末機１００にインストールする方式のダウンロード型の電子財布，プログラム供給部１１０に備わるサーバ（図示せず。）に電子財布１０１を保有し，電子商取引時毎に上記電子財布１０１を用いるサーバ型の電子財布と，または決済の支払いに必要な最小限の情報のみをデジタル放送用端末機１００に格納し，残りの情報をプログラム供給部１１０のサーバに格納するデジタル放送端末機１００とサーバとの分担型の電子財布などの場合であっても実施可能であるが，かかる例に限定されない。
【００５５】
駆動アプリケーション１０２とは，電子商取引の際に電子財布１０１を駆動させるための駆動用ソフトウェアをいう。ユーザが電子商取引を行う場合，駆動アプリケーション１０２は電子財布１０１を駆動させる。すると，例えば駆動された電子財布１０１に格納されたクレジットカード情報などを含むユーザ情報が双方向データ通信の可能なデジタル放送用端末機１００によって暗号化されてプログラム供給部１１０に伝達され，クレジットカード取引要請などに対する承認結果がプログラム供給部１１０によって再びデジタル放送用端末機１００に伝達される。なお，本実施の形態にかかる暗号化は，ＤＥＳ（Ｄａｔａ  Ｅｎｃｒｙｐｔｉｏｎ  Ｓｔａｎｄａｒｄ）方式など，暗号化可能であれば限定されず，他の暗号化方式であっても実施可能である。
【００５６】
次に，図１に示す本実施の形態にかかるプログラム供給部１１０は，地上波放送局，衛星放送局，またはケーブル放送局のうちいずれか一方または任意の組合せからなる放送局であり，地上波放送局の場合には上述したように他の媒体の介入なく大気中を通して直接デジタル放送用端末機１００に電波で放送番組などが伝送され，衛星放送局の場合には人工衛星１０３を介してデジタル放送用端末機１００に放送番組などが伝送され，ケーブル放送局の場合には，例えば銅線などのケーブルを介してデジタル放送用端末機１００に放送番組などが伝送される。なお上記ケーブルは，銅線である場合に限定されず，例えば，光ファイバなどであっても実施可能である。
【００５７】
プログラム供給部１１０は，例えば電子商取引が可能なプログラムなど様々な番組を放送するが，特にケーブル放送局などに例示されるホームショッピングチャンネルなど，電子商取引用ＴＶプログラムを専門的に供給する場合もある。
【００５８】
上記電子商取引が可能な番組を放送する場合，プログラム供給部１１０は，デジタル放送用端末機１００にデジタル放送を送信した際に，デジタル放送用端末機１００とのデータ交換を行い，インターネット網１１３を介して電子決済ゲートウェイ１２０とのインターネット接続を支援するためのデジタル放送設備及びインターネット支援サーバ１１１を備える。上記デジタル放送設備は，既存のデジタル放送番組を放送するための放送設備を含むが，かかる例に限定されない。
【００５９】
インターネット網１１３は，プログラム供給部１１０と電子決済ゲートウェイ１２０とを相互に双方向通信可能に接続するものであり，典型的には公衆回線網であるが，専用回線網である場合も含む。また接続方式は，有線無線を問わず，衛星通信などにより伝送される場合も含む。
【００６０】
サーバ１１１は，デジタル放送用端末機１００から電子商取引による購買要請がある場合，デジタル放送用端末機１００の駆動アプリケーション１０２によって駆動された電子財布１０１からのクレジットカード情報などが含まれるユーザ情報を受信すると同時に，プログラム供給部１１０をインターネットに接続させる機能を行う。
【００６１】
また，上記プログラム供給部１１０は，例えば，電子決済ゲートウェイ用クライアントツールキット１１２をさらに備える。上記電子決済ゲートウェイ用クライアントツールキット１１２はインターネット網１１３を介した電子決済ゲートウェイ１２０との接続，電子決済ゲートウェイ１２０へのユーザ情報の送信及び電子決済ゲートウェイ１２０からのクレジットカード取引承認結果の受信を行うためのソリューションソフトウェアなどである。
【００６２】
なお，本実施の形態にかかる電子決済ゲートウェイ用クライアントツールキット１１２は，インターネット網１１３を介した電子決済ゲートウェイ１２０との接続，電子決済ゲートウェイ１２０へのユーザ情報の送信及び電子決済ゲートウェイ１２０からのクレジットカード取引承認結果の受信機能を備える場合であれば，かかる例に限定されない。
【００６３】
また，プログラム供給部１１０は，商品情報を予めデータベース化しておく商品ＤＢ（図示せず。）を備える。すなわち，例えばドラマの場合，画面に出るアクセサリなど電子商取引の対象となる全ての商品に対する情報を予めデータベース化しておき，これを該当プログラム送出部（図示せず。）と連動させることができる。
【００６４】
上記商品ＤＢなどのデータベース化及びプログラム送出部との連動によって，マウスまたはリモコン操作により，デジタル放送用端末機１００のＴＶ画面に表示される所定の商品にアイコンが移動されると，マウスまたはリモコンのボタンをクリックなどにより商品の選択データをプログラム供給部１１０に伝送する。
【００６５】
プログラム供給部１１０は，商品ＤＢから該当商品の情報を検索し，デジタル放送用端末機１００に上記該当商品にかかる情報を提供する。デジタル放送用端末機１００は，マウスまたはリモコン操作により，プログラム供給部１００に注文情報を伝送する方式のデジタル放送を用いた双方向ホームショッピングを提供することができる。
【００６６】
図１に示すように，本実施の形態にかかる電子決済ゲートウェイ１２０は，例えばＡＴＭまたはＣＤなどのクレジットカード照会機を介してクレジットカードの取引内訳を中継処理するように，インターネット網１１３を介して商取引する際に安全にクレジットカードで取引する，いわゆるクレジットカード照会機の機能を仮想的にソフトウェアにより実現させる。
【００６７】
したがって，電子決済ゲートウェイ１２０を用いることで，デジタル放送用端末機１００は，インターネット網１１３などのネットワークを介して，金融機関１４０に保有する預金口座から電子商取引により発生した購入代金を引き落とすことが可能となる。
【００６８】
本実施の形態にかかる電子決済ゲートウェイ１２０は，インターネット網１１３を介してプログラム供給部１１０と接続され，ＶＡＮ事業所による付加価値通信網１３０（ＶＡＮ１３０）を介して電子商取引における決済を承認する金融機関１４０と接続され，上記電子決済ゲートウェイ用クライアントツールキット１１２と相互連動されるように構成する。
【００６９】
なお，本実施の形態にかかる電子決済ゲートウェイ１２０は，ＶＡＮ１３０を介して，金融機関１４０と接続された場合を例に挙げて説明したが，かかる例に場合に限定されず，例えばＩＰ−ＶＰＮ網などにより接続される場合であっても実施可能である。
【００７０】
本実施の形態にかかる電子決済ゲートウェイ１２０は，上記クレジットカード取引承認だけでなく，売込み代行や精算代行などクレジットカード関連の諸般業務をショッピングモールに代行して処理するように構成することができる。
【００７１】
本実施の形態にかかるプログラム供給部１１０と電子決済ゲートウェイ１２０とのインターネット接続は有線だけでなく無線も含むので，これにより本実施の形態にかかる電子決済ゲートウェイ１２０は有線または無線インターネット接続用システムから構成される。
【００７２】
また上記ＶＡＮ事業所は，上記ＶＡＮ１３０を用いて金融機関１４０に取引を照会し，その結果を電子決済ゲートウェイ１２０に送信し，電子決済ゲートウェイ１２０から決済の承認である振替要請を受けて金融機関１４０に取引代金の振替を要請する。
【００７３】
本実施の形態にかかる金融機関１４０は，ＶＡＮ１３０を介して電子決済ゲートウェイ１２０からの照会要請に対してカード取引を承認し，承認結果を発給してＶＡＮ１３０を介して，電子決済ゲートウェイ１２０またはプログラム供給部１１０に送信する。正常に承認された場合，承認結果発給後，決済代金を電子決済ゲートウェイ１２０またはプログラム供給部１１０に送信する。
【００７４】
次に，図２を参照しながら，上述した本実施の形態にかかる決済システムを用いた決済方法について説明する。図２は本発明の決済方法の各処理段階の概略的な構成を示すフローチャートである。
【００７５】
図２に示すように，まず，デジタル放送用端末機１００の電子財布１０１に顧客情報及び／または決済情報からなるユーザ情報（顧客／決済情報）が入力されると，デジタル放送用端末機１００は，電子財布１０１により暗号化された上記ユーザ情報を，デジタル放送用端末機１００のメモリ（図示せず。）に格納する（Ｓ１０１）。
【００７６】
この際，１回の顧客情報及び決済情報が入力される場合，多数のクレジットカードを持っている場合，多数の配送地に配送する必要がある場合が考慮される。したがって，一度に多数の顧客情報及び／又は決済情報からなるユーザ情報の入力を受け，ユーザの状況に応じて適当な顧客情報及び／又は決済情報を選択できるように構成することができる。
【００７７】
次に，プログラム供給部１１０は，ホームショッピングプログラムなど電子商取引の可能な番組などのプログラムをデジタル放送用端末機１００に提供する。デジタル放送用端末機１００は，マウスまたはリモコンなどによる操作により，プログラム供給部１１０との双方向データ通信機能を用いて，商品を選択および決済の決定をする（Ｓ１０２）。
【００７８】
したがって，ユーザは，ホームショッピングプログラムなどの番組で表示された所望の商品を選択し，決済することにより，購入することが可能となる。
【００７９】
その後，デジタル放送用端末機１００に備わる駆動アプリケーション１０２が電子財布１０１を駆動させ，電子財布１０１は，格納された顧客情報及び／又は決済情報のうち所定の情報を選択する（Ｓ１０３）。選択されると商品を選択および決済の決定をするためのデータとして顧客情報及び／又は決済情報からなるデータが生成される。
【００８０】
なお，本実施の形態にかかる電子財布１０１は，１のユーザに複数の顧客情報または決済情報が存在する場合，予め複数の顧客情報または決済情報のうちから１つをデフォルト設定することにより，通常の電子商取引の場合は，上記デフォルト設定された顧客情報及び／又は決済情報が自動的に選択されるように構成することができる。
【００８１】
次に，デジタル放送用端末機１００に備わる電子財布１０１は，デジタル放送用端末機の双方向データ通信機能を用いて，生成された顧客情報及び／又は決済情報からなるデータをプログラム供給部１１０に暗号化して伝送する（Ｓ１０４）。
【００８２】
プログラム供給部１１０は，上記人工衛星１０３，偏波などの電波，または上記ケーブルなどにより送受信を可能とするデジタル放送設備及びインターネット支援サーバ１１１を用いて上記顧客情報及び／決済情報からなるデータを受信し，インターネット１１３を介し，電子決済ゲートウェイ用クライアントツールキット１１２を用いて電子決済ゲートウェイ１２０にクレジットカード情報などの決済情報に対する承認を要請する（Ｓ１０５）。
【００８３】
その後，電子決済ゲートウェイ１２０は，ＶＡＮ１３０を介して該当金融機関１４０に承認を要請する（Ｓ１０６）。上記承認の要請するためのデータは，リアルタイムにＶＡＮ１３０を介して金融機関１４０に送信される。
【００８４】
次に，該当金融機関１４０は，上記承認要請に対し，有効な決済情報の場合には例えば承認内訳と承認番号にかかるデータを発給し，有効でない決済情報の場合には承認拒否書にかかるデータを発給するなどの処理方式で承認結果を処理し，上記データをＶＡＮ１３０を介して，電子決済ゲートウェイ１２０に伝送する。
【００８５】
電子決済ゲートウェイ１２０は，上記承認内訳と承認番号にかかるデータもしくは承認拒否書にかかるデータを，インターネット網１１３を介し，プログラム供給部１１０に伝送する（Ｓ１０７）。
【００８６】
次に，プログラム供給部１１０は，上記承認内訳と承認番号にかかるデータもしくは承認拒否書にかかるデータをデジタル放送用端末機１００に伝送する（Ｓ１０８）。
【００８７】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【００８８】
【発明の効果】
以上説明したように，本発明によれば，デジタル放送による電子商取引の際に，既存のデジタル放送設備を用いることで，その代金決済を容易且つ簡便に安定して行うことが可能な代金決済システムを提供するという効果がある。
【図面の簡単な説明】
【図１】本実施の形態にかかる決済システムの概略的な構成を示すブロック図である。
【図２】本実施の形態にかかる決済方法の概略的な構成を示すフローチャートである。
【符号の説明】
１００  ：デジタル放送用端末機
１０１  ：電子財布
１０２  ：駆動アプリケーション
１０３  ：人工衛星
１１０  ：プログラム供給部
１１１  ：デジタル放送設備及びインターネット支援サーバ
１１２  ：電子決済ゲートウェイ用クライアントツールキット
１１３  ：インターネット網
１２０  ：電子決済ゲートウェイ
１３０  ：ＶＡＮ
１４０  ：金融機関
【図１】
2004199640.tif 000003
【図２】
2004199640.tif 000004